(57)【特許請求の範囲】
【請求項１】
一方が受動的な共振器として構成されており、他方が能動的な共振器として構成されている、電気的には分離されているが光学的には結合されている少なくとも２つの共振器から成るＱスイッチ半導体レーザにおいて、
−前記光学的に結合されている２つの共振器は、レーザモードを選択するために、異なって構成されたモードを有し、該モードは所定のレーザ波長が選択されるようにスペクトル的に重なり合うものであり、
−前記光学的に結合されている２つの共振器の少なくとも１つの共振器ミラーが、前記光学的に結合されている２つの共振器によって選択された前記レーザ波長の領域において著しく分散性の反射特性
0003976788.tif 000004
を有する反射器（Ｒ）として構成されており、
−分散性の反射器（Ｒ）及び／又は受動的な共振器（Ｐ）の屈折率を電気的又は光学的に整合する手段が設けられており、前記分散性の反射器（Ｒ）に対して相対的に前記レーザモードのスペクトル制御が行われるように構成されていることを特徴とするＱスイッチ半導体レーザ。
【請求項２】
著しく分散性の反射特性
0003976788.tif 000005
を有する前記反射器（Ｒ）は、屈折率に関して電気的に整合可能なＤＦＢ格子として構成されている、請求の範囲１記載の半導体レーザ。
【請求項３】
著しく分散性の反射特性
0003976788.tif 000006
を有する前記反射器（Ｒ）は、屈折率に関して電気的に整合可能なＤＢＲ格子として構成されている、請求の範囲１記載の半導体レーザ。
【請求項４】
前記反射器（Ｒ）は超周期構造回折格子を有する、請求の範囲２又は３記載の半導体レーザ。
【請求項５】
著しく分散性の反射特性
0003976788.tif 000007
を有する前記反射器（Ｒ）は、狭帯域干渉フィルタ（９）としてレーザファセット（Ｆ1）上に構成されている、請求の範囲１記載の半導体レーザ。
【請求項６】
共振器が光学的に一定にポンピングされる活性媒質の上方に配置されているＤＦＢ格子を有する能動的なレーザセクション（Ｌ）として構成されており、第２の共振器は、受動的なセクション（Ｐ）として能動的なレーザセクション（Ｌ）と分散性の反射器（Ｒ）との間に設けられている、請求の範囲１から５までのうち少なくとも１項記載の半導体レーザ。
【請求項７】
共振器が光学的に一定にポンピングされる活性媒質の上方に配置されているＤＦＢ格子を有する能動的なレーザセクション（Ｌ）として構成されており、受動的なセクション（Ｐ）として構成されている第２の共振器と、分散性の反射器（Ｒ）との間に設けられている、請求の範囲１から５までのうち少なくとも１項記載の半導体レーザ。
【請求項８】
能動的なレーザセクション（Ｌ）として構成されている共振器内に設けられているＤＦＢ格子がブラッグ波長を有し、該ブラッグ波長は前記反射器（Ｒ）のＤＦＢ格子又はＤＢＲ格子の波長に対してほぼストップバンド幅だけ短波長側又は長波長側にずれている、請求項２、３及び６又は７記載の半導体レーザ。
【請求項９】
受動的な共振器及び能動的な共振器が反射性衝き合わせ個所（８）により相互に分離されており、両共振器は２つの反射器により画定形成されている、請求の範囲１から５までのうち少なくとも１項記載の半導体レーザ。
【請求項１０】
電気的な制御のほかに少なくとも１つのセクションが選択的に作動可能なヒータを有する、請求項１、６、７又は９のうちいずれか１項記載の半導体レーザ。
【請求項１１】
前記受動的な共振器はレーザ状のヘテロ構造を有し、該へテロ構造は電流注入を用いるレーザ放射の波長において透明に調整されている、請求項１、６、７又は９のうちいずれか１項記載の半導体レーザ。
【請求項１２】
受動的なセクション（Ｐ）として構成されている共振器は電気的に別個に制御される２つのセクションから形成されている、請求項１、６、７又は９のうちいずれか１項記載の半導体レーザ。
【請求項１３】
前記受動的な共振器の電気的に別個に制御される２つのセクションのうちの１つがレーザ状のヘテロ構造を有し、該ヘテロ構造は電流注入を用いるレーザ放射の波長において透明に調整されている、請求項１２記載の半導体レーザ。
【請求項１４】
個々のセクションは、選択的に種々の高周波電気信号で制御されるように構成されている、請求項１から１３までのうち少なくとも１項記載の半導体レーザ。
【請求項１５】
半導体レーザ構造の層平面内において、レーザ軸に対して横断方向に導波路構造は少なくとも半導体レーザの１つのセクションへ導かれており、該１つのセクションを介して、光信号が選択的に当該セクション内へ入射されている、請求項１から１４までのうち少なくとも１項記載の半導体レーザ。
【請求項１６】
光学窓を有するか、半透明に構成されている、少なくとも１つのセクションの電気コンタクト内に光信号が当該のセクション内へ選択的に入射されている、請求項１から１５までのうち少なくとも１項記載の半導体レーザ。
【発明の詳細な説明】
本発明は、電気的には分離されているが光学的には結合されている少なくとも２つの共振器を有し、そのうちの一方は受動的な共振器として構成されており、他方は能動的な共振器として構成されているＱスイッチ半導体レーザに関する。
Ｑスイッチ半導体レーザの用途は、殊に非線形光学系及び通信伝送／光学的な情報伝送の分野において、このＱスイッチ半導体レーザの配置構成を用いることにより短くて強いレーザパルスを生成する手法に基づく。
Ｑスイッチレーザでは強いポンピングにより高い反転分布が形成され、高い利得が達成される。しかしながら大きな共振損失によってレーザ動作の開始が差し当たり阻止される。損失が排除されれば高いパルス出力の短い光パルスが発射される。Ｑスイッチングのために、共振器ミラーでの外部損失が変化されるか、共振器における内部損失が差し当たり生じるが、この内部損失はその後排除することができる。
ＩＥＥＥ  Ｐｈｏｔｏｎｉｃｓ  Ｔｅｃｈｎｏｌｏｇｙ  Ｌｅｔｔｅｒｓ，Ｖｏｌ．７，Ｎｏ．１０，Ｏｃｔｏｂｅｒ  １９９５，ｐｐ．１１２５−１１２７には２セクションＤＦＢレーザが記載されており、この２セクションＤＦＢレーザでは１つのセクションが先ず吸収器として作動され、続いて電流注入により透明にされる。ここで、共振器内部で正味の利得が変調される。ポンピング電流を介するレーザの変調に比べて、この配置構成を用いることにより既に所要の変調電流における改善、またチャープにおける改善が達成される。しかしながら、わずかな電流ないし電圧レンジでの高周波レーザ変調は依然として実現されていない。
米国特許第４９８２４０５号明細書には、光学的に結合されている２つの共振器を有するＱ変調レーザが記載されている。ここでＱ変調は２つの共振器の離調により行われる。
本発明が基礎とする従来技術は、ＩＥＥＥ  Ｊｏｕｒｎａｌ  Ｑｕａｎｔｕｍ  Ｅｋｅｃｔｒｏｎｉｃｓ  ３０（１９９４）Ｍａｙ，Ｎｏ．５，ｐｐ  １２０４−１２１１に記載されている。そこに記載されているＱ変調半導体レーザは、光学的に結合されている２つの共振器から成り、その内の一方は受動的な共振器として構成されており、他方は能動的な共振器として構成されている。２つの共振器を電気的に制御することができ（ミラーにおける電極、２つの共振器用の中間電極）、それにより能動的なセクションが別個にポンピングされ（利得の生成）、受動的なセクションを屈折率にて電気的に調整することができる。この手段においてもＱ変調と称される出力変調が２つの共振器の離調によって行われる。ここで可変の屈折率を有する領域は、この領域を含む２つのブラック反射器と共に可変の反射器又は同調可能なエタロンとして作用する。共振器ミラーとして、２つの共振器の特に高く且つストップバンド内ではほぼ一定の反射率のためにミラーとしてのＤＢＲ反射器が使用されている。この配置構成においてＤＢＲ構造はレーザ波長のもとでもっぱら高反射性のミラーとして作用する。従来技術から公知のこの手段は、確かにレーザの高周波Ｑ変調を可能にするが、わずかな変調幅しか実現しない。
従って本発明の課題は、わずかな電流ないし電圧レンジで高周波レーザ変調を可能にするＱスイッチ半導体レーザを提供することである。
この課題は本発明によれば、冒頭で述べたようなＱスイッチ半導体レーザにおいて次のようにして解決される。すなわち、光学的に結合されている２つの共振器が、レーザモード選択のために異なるように構成されているモードを有し、これらのモードは所定のレーザ波長が選択されるようにスペクトル的に重畳しており、光学的に結合されている２つの共振器の少なくとも１つの共振器信号は、この光学的に結合されている２つの共振器によって選択されたレーザ波長の領域において強い分散性の反射特性を有する反射器として構成されており、分散性の反射器及び／又は受動的な共振器の屈折率を電気的または光学的に調整する手段が設けられており、分散性の反射器に相対的なレーザモードのスペクトル的な制御が行われる。
この配置構成により、固定的な有効利得において強い分散性の反射特性を有する共振器ミラーの反射率を電気的に変調することによって、を半導体レーザがスイッチオン又はスイッチオフされるようにレーザ閾値低下又は増大させることができるように、レーザ波長に対する反射率を調整することができる。
類似の配置構成は既に、ＩＥＥＥ  Ｐｈｏｔｏｎｉｃｓ  Ｔｅｃｈｎｏｌｏｇｙ  Ｌｅｔｔｅｒｓ，Ｖｏｌ．８，Ｎｏ．１，Ｊａｎｕａｒｅｙ  １９９０，ｐｐ．２８−３０に記載されている。しかしながらこのマルチセクションレーザは、本願発明とは異なる仕方で作動され、また異なる機能を有する。つまり自励パルス発振式のマルチセクションレーザでは、能動的な共振器が既にそれだけでレーザとして発振するように、活性層が強くポンピングされる。換言すればそのような高い電流で制御される。受動的な共振器及び反射器における電流は、本発明のレーザの作動と異なり、然もレーザ波長のノイズを来すような能動的な共振器内の電荷密度のノイズは、反射器からの波長に依存する帰還によって、レーザ出力、波長及び電荷密度の変動がレーザセクションにおいて生じるように高まるような値に固定されている。
機械工学において公知であるノギス方式（Ｎｏｎｉｕｓｐｒｉｎｚｉｐ）に類似して、所定のレーザ波長が選択されるようにスペクトルが重畳する種々のモード態様（Ｍｏｄｅｎｋａｅｍｍｅ）を有する、光学的に結合されている２つの共振器を設けることは、本発明によるＱスイッチ半導体レーザの機能にとって決定的である。何故ならば、そうでない場合には１つの簡単な半導体レーザにおいては多数のモードが可能であるので、にレーザ放射が所望のモードによって支持されないからである。その代わりに、比較的高く且つ非分散性の反射が生じる競合的なモードによってレーザ動作が支配されることになる虞がある。
共振器のうちの１つを受動的な共振器として構成することが重要である理由は、屈折率を一義的に電気的に外部から調整及び固定することができ、一方能動的な共振器においては電荷密度、ひいては屈折率及び波長が光子密度にも依存するからである。総じて、二重共振器によりレーザモードが選択されて、受動的な共振器によってレーザ波長が十分に固定されるが、この波長は受動的な共振器を電気的に制御する際に所定の波長領域において調整することができる。レーザ波長と強い分散を反射器特性においてスペクトル的にほぼ一致させることを作製の際に実現することができる。微調整は受動的な共振器ないし反射器を制御する際の電気的なオフセットによって達成される。
本来の変調は受動的な共振器の屈折率の電気的な制御（印加電界又は電荷注入）により行われる。レーザ波長と、反射器のスペクトル的に急峻な反射側縁とのスペクトル的な相関が極わずかに変化しただけで既にレーザ閾値を著しく効率的に変調することができ、つまりレーザを正味利得の変調なしでオン、オフできる。
制御信号のわずかなレンジしか必要とされないので、本発明の配置構成により高い変調周波数を達成できる。能動的な共振器においては電荷密度を変調する必要がなく、更には受動的な共振器によって波長の固定が行われるので、レーザ電流変調による出力変調に比して著しく小さいチャープ（波長変調）が達成される。
本発明の更なる有利な実施形態が従属請求項に記載されている。それらの実施形態には共振器ミラー及び光学的に結合されている２つの共振器が属する。
そのような実施形態によれば、強い分散性の反射特性を有する反射器を、屈折率に関して電気的に同調可能なＤＦＢ格子又はＤＢＲ格子又は狭帯域干渉フィルタとしてレーザファセット上に構成するのである。
更なる実施形態では反射器が超周期構造回折格子を有し、これは例えばブラッグ波長ないし結合係数の変更又は位相ジャンプにより実現できるそのような長周期構造回折格子は、均質のＤＦＢ格子及びＤＢＲ格子の反射特性を変更することができる。それにより半導体レーザの作製プロセス中に既に実現のために所望される伝達関数／スイッチング特性の前提条件を技術的に回折格子構造に依存して、従って、反射特性の種類によって調整することができる。つまり、例えば、線形の変調のための反射器には反射特性のストップバンド縁の急峻な側縁での直線的な上昇を実現する長周期構造回折格子が設けられており、デジタルスイッチングのための反射器には前述の側縁において階段状の特性経過を保証するその種の長周期構造回折格子が設けられている。
共振器に係わる実施形態では第１の共振器が光学的に一定にポンピングされる活性媒質の上方に配置されているＤＦＢ格子を備えた能動的なレーザセクションとして構成されており、第２の共振器は受動的なセクションとして能動的なレーザセクションと分散性の反射器との間に設けられている。
別の実施形態によれば、上述の能動的なレーザセクションが受動的なセクションとして構成されている第２の共振器と分散性の反射器との間に設けられている。
既述のように、光学的に結合されている２つの共振器が相応のモード態様を有するノギス方式は不所望なモードの発振が抑制されることを保証する。能動的なレーザセクションとして構成されている共振器内に設けられているＤＦＢ格子が、反射器のＤＦＢ格子又はＤＢＲ格子の波長に対してほぼストップバンド幅だけ短波長側又は長波長側にずれているブラッグ波長を有することによって達成される。
更なる実施形態によれば、受動的な共振器及び能動的な共振器が反射性衝き合わせ個所により相互に分離されており、これら２つの共振器は２つの反射器により画定形成されている。一方の反射器のみが分散性の反射特性を有して本発明の配置構成に包含されている場合には、他方の反射器は反射性ファセットである。
電気的な制御のほかに少なくとも１つのセクションが他の実施形態において設けられているような選択的に作動可能なヒータを有する場合には、最適なスペクトル相関レーザ反射器を電気的な動作条件に依存せずに調整することができる。付加的なヒータは加熱されているセクションにおける屈折率を変化させる。更にその種のヒータにより、技術上の製造公差を補償することができる。
更に、受動的な共振器はレーザ状のヘテロ構造を有し、このヘテロ構造は電流注入を用いるレーザ放射の波長において透明に調整されている。そのようなレーザ状のヘテロ構造は、エネルギ的にバンド幅を上回り比較的小さい波長において透明点を有する。ここでは、注目する波長において光の吸収から光の増幅への切換が行われるように、ヘテロ構造を電気的にポンピングする必要がある。それにより、受動的な共振器をレーザ波長よりも明らかに小さい波長で制御することができる。ここでは光吸収が行われる。もしくは、増幅スペクトル内でレーザ波長より大きい波長で制御することができる。ここでは電荷が消費される。従って種々の波長を用いる制御により２つの異なった方向で光学的に制御されるスイッチングが実現される。
半導体レーザを高周波で電気的に制御するために、別個に電気的に制御される２つのセクションから成る受動的な共振器が間隔保持部として構成されている。別個に制御される２つのセクションを設けることにより、所要の動作点が一方のセクション（定電流）により実現され、また純粋なＨＦ変調が他方のセクションにより実現される。つまり、ＨＦ変調は一定値を重畳する必要はない。従って、ＨＦ制御信号と一定の電流／電圧の電子的な重畳は必要ない。
論理的な演算を実現するために、例えば２つの信号を論理結合するために、半導体レーザのセクションを選択的に、電気的又は光学的に、制御する必要がある。本発明による半導体レーザは、２つの異なるセクションを同時に制御する場合のみデジタル的にオン又はオフできるように調整される。次のような実施形態はこれらの前提条件を充足している。つまり、個々のセクションが選択的に種々の高周波電気信号によって制御されている。更に、半導体レーザ構造の層平面内において、レーザ軸に対して横断方向に導波路構造を少なくとも半導体レーザの１つのセクションに導くことができ、この１つのセクションを介して、光信号が選択的にこのセクション内へ入射されている。また、光学窓を有するか半透明に構成されている、少なくとも１つのセクションの電気コンタクト内に光信号が選択的に入射していることも可能である。
本発明による実施形態は前述の形態に限定されるものではなく、本発明の技術思想を実現するすべてのバリエーションを包含するのである。
次に本発明の実施例を詳述する。
各図は次の通りである。
図１は、受動的な共振器と、能動的な共振器と、分散性の反射器とから成る本発明のＱスイッチ半導体レーザの構成を略示し、この構成において反射器と能動的な共振器との間に受動的な共振器が設けられている。
図２は、図１に示すＱスイッチ半導体レーザの横断面を示す。
図３は、反射器の反射率と波長の関係を示す。
図４は、図３に示す反射率と波長の関係に付加的に、２つのブラッグ波長のずれのもとでＤＦＢレーザのスペクトル特性を示す。
図５は、受動的な共振器が種々の電流により制御される場合における図１及び図２に示すレーザの光スペクトルの特性を示す。
図６は、図１及び図２に示すレーザの受動的な共振器が、正弦波状に１ＧＨｚで変調された電流Ｉにより制御される場合における光出力と時間の関係を示す。
図７は、能動的な共振器が受動的な共振器と分散性の反射器との間に設けられているＱスイッチ半導体レーザの横断面である。
図８は、能動的な共振器と受動的な共振器が反射性衝き合わせ個所により相互に分離されているＱスイッチ半導体レーザの横断面である。
図１に示すＱスイッチ半導体レーザはリブ導波路構造として、ＤＦＢ格子を有するレーザセクションＬとして構成されている能動的な共振器と、受動的な共振器Ｐと、二重共振器により選択されたレーザ波長の領域において著しく分散性の反射特性を有する、同様にＤＦＢ格子として構成されている反射器Ｒとから成る。
ｎ−ＩｎＰ基板１上に、３００ｎｍの厚さのｎ−１．３μｍ−ＩｎＧａＡｓＰ導波路層２と、１５０ｎｍの厚さのｐ−１．１８μｍ−ＩｎＧａＡｓＰ導波路４との間には、１５０ｎｍの厚さを有する活性層３としての１．５５μｍ−ＩｎＧａＡｓＰ層が設けられている。ＤＦＢ格子は電子ビームリソグラフィを用いて書き込まれ、ｐ−導波路層４内にエッチングされている。ｐ−導波路層４の上にはｐ−ＩｎＰ層５と、リブにおいてのみ開かれている絶縁されたＳｉＮx層６が設けられており、このＳｉＮx層６は電極層Ｅ2により被われている。更にリブ導波路構造の中間ストリップは、接触抵抗を低減するために、４００ｎｍの厚さのｐ−ＩｎＧａＡｓ層７を有する。レーザセクションＬは３００μｍの長さを有し、受動的な共振器セクションＰは４００μｍの長さを有し、分散性の反射器Ｒは２００μμｍの長さを有する。基板１はベース電極Ｅ1上に設けられている。反射器Ｒ及び能動的な共振器Ｌは、それぞれ反射防止コーティングされたファセットＦ1，Ｆ2により仕切画定されている。
図２には、受動的な共振器セクションＰが能動的な共振器Ｌと反射器Ｒとの間に設けられている、同じＱスイッチ半導体レーザを横断面で示している。断面は長手方向においてリブ導波路構造の高まりのある中間ストリップを通って切断して示されている。明示されているのは２つの共振器Ｌ及びＰ並びに反射器Ｒの類似の層構造である。層構造は以下の層を有する；ベース電極Ｅ1，ｎ−ＩｎＰ基板１、ｎ−ＩｎＧａＡｓＰ導波路層２、ＩｎＧａＡｓＰ活性層３、ＤＦＢ格子を有するｐ−ＩｎＧａＡｓＰ導波路層４、ｐ−ＩｎＰ層５、２つの共振器Ｌ及びＰ並びに反射器Ｒを別個に制御するための分割されたカバー電極Ｅ2、このカバー電極Ｅ2の下に設けられているｐ−ＩｎＧａＡｓ層７を有する。
図３には、透明電流密度の近くでの作動の際の、反射器Ｒの反射率
0003976788.tif 000002
と波長λの関係が示されている。障害的競合的レーザ波長は、機械的計測技術におけるノギス方式に類似してレーザセクションＬ及び受動的な共振器Ｐの２つの異なる共振器条件により排除され、受動的な位相条件は波長を固定する。これによって、Ｑスイッチ半導体レーザは、一定のポンプ電流において出力を変調することができる。変調は受動的な共振器条件又はスペクトル的反射器位置を電気的に変化させることにより行われる。スペクトル的反射器位置を極わずかに変化させるだけで、図３から明らかなように、既にＱスイッチ半導体レーザの作成時に反射器特性が、有利にはその急峻側縁の領域において強い分散とスペクトル的にほぼ一致させられている固定のレーザ波長λLでは、分散性の反射器ＲをＱスイッチ半導体レーザのビーム路において所期のように電気的にオンないしオフすることができる。その結果レーザ閾値は著しく効率的に、非常に小さい電流変化又は電圧レンジにより変調される。
図４には同じく、反射器Ｒの反射率
0003976788.tif 000003
と波長λの関係が示されており、更に図３と比較したＤＦＢレーザのスペクトル特性が示されている。ＤＦＢレーザは、ストップバンドについて短波長及び長波長的に２つのほぼ同等順位のモードを有する。分散的なＱ変調のために不所望なモードの立ち上がりを抑制しなければならず、このことは既述の機械的な測定技術におけるノギス方式に類似して、ＤＦＢモードと受動的な共振器モードとの間で達成される。不所望なモードの改善された抑制はＤＦＢレーザ及びＤＦＢ反射器又はＤＢＲ反射器のブラッグ波長が、図４に示されているように、ストップバンド幅だけ相互にずれている場合に達成される。その際例えば短波長のレーザモードは反射器ストップバンドの長波長側で反射低下と相関し、一方長波長のレーザモードはストップバンドにおける高い反射率とスペクトル的に重畳せず、従ってレーザ動作に対して殆ど振動しない。
図５には、図１ないし図２に示す構成を有する本発明のＱスイッチ半導体レーザの相対的な光出力Ｐoptと受動的な共振器Ｐに供給された種々の電流のもとでの波長λとの関係が示されている。ＤＦＢ格子を有するレーザセクションＬはレーザの付加的な反射率がオンされることによってのみ発振するようなわずかな電流（ここでは４１ｍＡ）のもとで作動される。ＤＦＢ格子を有する分散性の反射器Ｒは１６ｍＡで制御される。受動的な共振器Ｐが種々の電流Ｉ（ここでは６ｍＡ及び６．５ｍＡ）で作動される場合、本発明の半導体レーザのオン、オフを観測することができる。６．５ｍＡの電流の場合波長λ＝１５４８ｎｍのもとで単一モード放射を観測することができる。電流Ｉが０．５ｍＡだけ低減されて６．０ｍＡにされるとレーザはオフされる。ここで３０ｄＢより大きいスイッチング差が達成される。電流、従ってレーザセクションＬ及び反射器Ｒの利得が固定されているので、この特性カーブによりＱスイッチ半導体レーザの分散性の閾値スイッチングがセッティングされる。何故ならば、受動的な共振器Ｐに供給される電流をわずかに（０．５ｍＡ）変化させるだけで、固定したポンプ電流のもとで、レーザがオン、オフされるからである。
受動的な共振器Ｐに供給される電流Ｉが正弦波状に１ＧＨｚで変調される場合、図６に示されているようなパルス列（時間ｔに依存する光出力Ｐopt）が生成される。上述の配置構成は、ＨＦ操作／作動に対して最適化されていないので、比較的高い変調周波数も高い確率で可能である。
図７及び図８には、本発明のＱスイッチ半導体レーザの更なる実施形態が横断面で示してある。
図７には、ＤＦＢ（Distributed Feedback）格子を有するレーザセクションの能動的な共振器Ｌが、受動的な共振器Ｐと、ＤＢＲ（Distributed Bragg Reflector）格子として構成された反射器Ｒとの間に設けられている。層構成は図２に対して記載したのと同じものである。
図８は、ファブリペローレーザとして構成されている能動的な共振器Ｌを示し、この能動的な共振器Ｌは、略示されている反射性衝き合わせ個所８、例えばμｍ領域の幅のエッチング溝により受動的な共振器Ｐから分離されている。エッチング溝においてはたんに１つのミラー面を得るために共振器の方向において１つの側縁がレーザビームに対して垂直に形成されており、１つがそれに対して斜めに形成されている。レーザファセット、ここではＦ1上に１つの干渉フィルタ９が配置されている。ここでは図示していない、他方のレーザファセットは反射性に構成されている。
図２、７、８における垂直な破線は、本発明の解決手段による“分布した”反射器の作用を示すものである。
本発明のＱスイッチ半導体レーザは変調のために、わずかな電流ないし電圧レンジしか要しない。何故ならば、高いレーザ電流ではなく、わずかな制御電流が変調され、このわずかな制御電流はレーザ閾値に大きな影響を及ぼすからである。したがって本発明によるＱスイッチ半導体レーザを、特に高速のモードスイッチングに適用することができる。即ちレーザ自体がオン、オフされるのではなく、既に作用しているモードに対して、選択されたモードが今や立ち上がって支配的になるように他のモードの閾値が低下される。
本発明のＱスイッチ半導体レーザの解決手段により、アナログ的な制御のみならず、デジタル的なスイッチングも実現される。何故ならば、動作点及び制御形式に依存してレーザ出力が制御量に比例して変化されるか、又は跳躍的なデジタル的な切換をヒステリシスを以て達成することができるからである。
電流を用いる制御の代わりに、本発明の半導体レーザ内への光入射により電荷密度の変化を生じさせることも可能である。或１つの層の透明性は常に波長に依存するので、レーザ波長とは異なる適切な波長が使用されれば“受動的な”共振器も制御することができる。つまり導波路層２は実施例において１．３μｍのバンドエッジを有し、従って活性層３により短い波長の光を吸収し、ここで電荷が生成される。反射器として使用されるＤＦＢセクションにおいては、活性層の最大利得とＤＦＢ波長がスペクトル的に分離されており、その結果適切な波長の入射光が増幅され、その際電荷密度が低減される。この光学的な制御の実現に当たり、本発明の半導体レーザがたんにわずかな制御パワーしか要しないという利点が得られることが判明している。
【図１】
0003976788.tif 000008
【図２】
0003976788.tif 000009
【図３】
0003976788.tif 000010
【図４】
0003976788.tif 000011
【図５】
0003976788.tif 000012
【図６】
0003976788.tif 000013
【図７】
0003976788.tif 000014
【図８】
0003976788.tif 000015